(57)【要約】【課題】美観が良好で、高級感を有し、強度的にも優れ、内部に収容したアンテナが確実に電波を受信することが可能な無線機能付き時計を提供する。【解決手段】無線機能付き時計であって、外部からの電波を受信するためのアンテナを収容するハウジングと、ハウジング内に収容され、外部からの電波を受信するためのアンテナと、ハウジング内に配置された導電性の環状部材と、環状部材に形成され、環状部材を周方向に分断する少なくとも１つのスリットとを備える。【選択図】図１
2008045878.tif 000002
【特許請求の範囲】
【請求項１】
無線機能付き時計であって、
ハウジングと、
前記ハウジング内に収容され、外部からの電波を受信するためのアンテナと、
前記ハウジング内に配置された導電性の環状部材と、
前記環状部材に形成され、環状部材を周方向に分断する少なくとも１つのスリットと、を備えることを特徴とする無線機能付き時計。
【請求項２】
前記スリットが、アンテナの上方近傍に配置されていることを特徴とする請求項１に記載の無線機能付き時計。
【請求項３】
前記スリットが、アンテナの開放両端部に対向して、アンテナの上方近傍に配置された２つのスリットから構成されていることを特徴とする請求項１に記載の無線機能付き時計。
【請求項４】
前記スリットが、アンテナの少なくとも一方の開放端部に対向して、アンテナの上方近傍に配置されたスリットから構成されていることを特徴とする請求項１に記載の無線機能付き時計。
【請求項５】
前記環状部材のスリット内に配置された絶縁部材を備えることを特徴とする請求項１から４のいずれかに記載の無線機能付き時計。
【請求項６】
前記絶縁部材が、非導電性の合成樹脂であることを特徴とする請求項５に記載の無線機能付き時計。
【請求項７】
前記絶縁部材の視認面の色調が、環状部材の視認面の色調と同色色調であることを特徴とする請求項５から６のいずれかに記載の無線機能付き時計。
【請求項８】
前記絶縁部材の視認面の色調が、環状部材の視認面の色調である金属外観と同色色調である金属外観を呈することを特徴とする請求項７に記載の無線機能付き時計。
【請求項９】
前記絶縁部材の視認面の色調が、環状部材の視認面の色調と異色色調であることを特徴とする請求項５から６のいずれかに記載の無線機能付き時計。
【請求項１０】
前記絶縁部材が、時計の機能表示を示す指標であることを特徴とする請求項５から９のいずれかに記載の無線機能付き時計。
【請求項１１】
前記絶縁部材が、導電性の付加部材を保持し、
前記付加部材が、外方から視認され得るように、かつ環状部材と接触しないように絶縁部材に保持されていることを特徴とする請求項５から１０のいずれかに記載の無線機能付き時計。
【請求項１２】
前記付加部材の視認面の色調が、環状部材の視認面の色調と同色色調であることを特徴とする請求項１１に記載の無線機能付き時計。
【請求項１３】
前記付加部材の視認面の色調が、環状部材の視認面の色調と異色色調であることを特徴とする請求項１１に記載の無線機能付き時計。
【請求項１４】
前記付加部材が、時計の機能表示を示す指標であることを特徴とする請求項１１から１
３のいずれかに記載の無線機能付き時計。
【請求項１５】
前記環状部材と絶縁部材と付加部材の視認面が、略同一平面を形成していることを特徴とする請求項１１から１４のいずれかに記載の無線機能付き時計。
【請求項１６】
前記付加部材が、環状部材と絶縁部材との境界の少なくとも一部を覆う覆い部を備えることを特徴とする請求項１１から１５のいずれかに記載の無線機能付き時計。
【請求項１７】
前記付加部材の覆い部と環状部材との間に、絶縁部材より延出する延出部が形成されていることを特徴とする請求項１６に記載の無線機能付き時計。
【請求項１８】
前記付加部材が、絶縁部材に形成された凹部内に配置されていることを特徴とする請求項１１から１７のいずれかに記載の無線機能付き時計。
【請求項１９】
前記スリット内に一定間隔離間して配置された２つの絶縁部材の間に、付加部材が配置されていることを特徴とする請求項１１から１８のいずれかに記載の無線機能付き時計。
【請求項２０】
前記絶縁部材と付加部材のいずれか一方に突設された係合凸部と、他方に形成された係合孔部とを備え、
前記係合凸部と係合孔部との係合によって、付加部材が絶縁部材に取り付けられていることを特徴とする請求項１１から１９のいずれかに記載の無線機能付き時計。
【請求項２１】
前記絶縁部材が、文字板上面に延出する指標部を備えることを特徴とする請求項５から２０のいずれかに記載の無線機能付き時計。
【請求項２２】
前記付加部材が、文字板上面に延出する指標部を備えることを特徴とする請求項１１から２１のいずれかに記載の無線機能付き時計。
【請求項２３】
前記絶縁部材が、装飾部材を備えることを特徴とする請求項５から２２のいずれかに記載の無線機能付き時計。
【請求項２４】
前記ハウジングの少なくとも一部を構成する時計ケースを備え、
前記時計ケースが少なくとも一部が導電性であり、
前記環状部材と時計ケースとの間に、絶縁領域を備えることを特徴とする請求項１から２３のいずれかに記載の無線機能付き時計。
【請求項２５】
前記絶縁領域が、アンテナの上方近傍に配置されていることを特徴とする請求項２４に記載の無線機能付き時計。
【請求項２６】
前記絶縁領域が、アンテナの開放両端部に対向して、アンテナの上方近傍に配置された２つの絶縁領域から構成されていることを特徴とする請求項２４に記載の無線機能付き時計。
【請求項２７】
前記絶縁領域が、アンテナの少なくとも一方の開放端部に対向して、アンテナの上方近傍に配置された絶縁領域から構成されていることを特徴とする請求項２４に記載の無線機能付き時計。
【請求項２８】
前記絶縁領域が、環状部材と時計ケースとの間に配置された絶縁部材から構成されていることを特徴とする請求項２４から２７のいずれかに記載の無線機能付き時計。
【請求項２９】
前記絶縁部材が、環状部材側に貼着されていることを特徴とする請求項２８に記載の無線機能付き時計。
【請求項３０】
前記絶縁部材が、時計ケース側に貼着されていることを特徴とする請求項２８から２９のいずれかに記載の無線機能付き時計。
【請求項３１】
前記絶縁領域が、環状部材と時計ケースとの間の境界面の少なくともいずれか一方に形成された絶縁被膜から構成されていることを特徴とする請求項２４から３０のいずれかに記載の無線機能付き時計。
【請求項３２】
前記環状部材の絶縁被膜が、環状部材の全面に形成されていることを特徴とする請求項３１に記載の無線機能付き時計。
【請求項３３】
前記ハウジングの少なくとも一部を構成する時計ケースを備え、
前記時計ケースが少なくとも一部が導電性であり、
前記時計ケースには、少なくとも一部が導電性のベゼルが備えられ、
前記ベゼルと時計ケースとの間に、絶縁領域を備えることを特徴とする請求項１から３２のいずれかに記載の無線機能付き時計。
【請求項３４】
前記ハウジングの少なくとも一部を構成する時計ケースを備え、
前記時計ケースには、少なくとも一部が導電性のベゼルが備えられ、
前記ベゼルと環状部材との間に、絶縁領域を備えることを特徴とする請求項１から３３のいずれかに記載の無線機能付き時計。
【請求項３５】
前記絶縁領域が、アンテナの上方近傍に配置されていることを特徴とする請求項３４に記載の無線機能付き時計。
【請求項３６】
前記絶縁領域が、アンテナの開放両端部に対向して、アンテナの上方近傍に配置された２つの絶縁領域から構成されていることを特徴とする請求項３４に記載の無線機能付き時計。
【請求項３７】
前記絶縁領域が、アンテナの少なくとも一方の開放端部に対向して、アンテナの上方近傍に配置された絶縁領域から構成されていることを特徴とする請求項３４に記載の無線機能付き時計。
【請求項３８】
前記絶縁領域が、ベゼルと環状部材との間に配置された絶縁部材から構成されていることを特徴とする請求項３４から３６のいずれかに記載の無線機能付き時計。
【請求項３９】
前記絶縁部材が、ベゼル側に貼着されていることを特徴とする請求項３７に記載の無線機能付き時計。
【請求項４０】
前記絶縁部材が、環状部材側に貼着されていることを特徴とする請求項３７から３８のいずれかに記載の無線機能付き時計。
【請求項４１】
前記絶縁領域が、ベゼルと環状部材との間の境界面の少なくともいずれか一方に形成された絶縁被覆膜から構成されていることを特徴とする請求項３４から３９のいずれかに記載の無線機能付き時計。
【請求項４２】
前記環状部材の絶縁被膜が、環状部材の全面に形成されている特徴とする請求項４０に記載の無線機能付き時計。
【請求項４３】
前記導電性の環状部材が、見返しリングであることを特徴とする請求項１から４２のいずれかに記載の無線機能付き時計。
【発明の詳細な説明】
【技術分野】
【０００１】
本発明は、無線機能付き時計、特に、所定の電波を受信できるアンテナと、アンテナを収容するための導電性のハウジングを備えた時計に関する。
【背景技術】
【０００２】
従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００３】
これらの無線機能付き時計は、他の通信機器と同様に、所定の電波を受信するためのアンテナを備える必要がある。
このため、電波を受信する機能、すなわち、受信感度からすれば、電波を受信するアンテナを収納する筐体であるハウジングを、合成樹脂などの非導電性の素材から構成することが考えられる。
【０００４】
しかしながら、これら無線機能付き時計は、時計であるがために、他の通信機器と異なり、装飾品、または装身具としての美観や高級観が求められる。
このため、電波を受信するアンテナを収納する筐体であるハウジングを、合成樹脂などの非導電性の素材ではなく、導電性の素材、すなわち、金属製の素材を採用することが求められる。
【０００５】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
【０００６】
この金属製のハウジングに対する要求は、ユーザーに携帯される装身具としての腕時計において、特に著しいものである。
しかしながら、アンテナを、導電性のハウジング、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【０００７】
このため、従来より、様々な受信感度向上のための提案がなされている。
例えば、特許文献１（特開２００２−３４１０５７号公報）では、金属製筐体である金属製のハウジングを備える電波時計、特に、電波腕時計が開示されている。
【０００８】
すなわち、図３１に示したように、この電波時計１００は、ハウジング１０２を備えている。
なお、本明細書中、「上下方向」とは、図３１、または図２において、上下方向を意味する。従って、上面とは、腕時計を手首に装着した状態において、外方に露出する面であり、下面とは、同状態において手首と相対する面である。
【０００９】
また、「平面方向」とは、上下方向に直交する方向であって、図３１において、左右方向を意味するものであり、平面方向が、バンドの長手方向、または、バンドの幅方向と重複する場合もある。
【００１０】
このハウジング１０２は、金属製の枠体を構成する時計ケース１０４と、時計ケース１０４の下面開口部を覆うように密封状態で装着される金属製の裏蓋１０６と、この時計ケースの上面開口部を覆うように、密封状態で装着される風防（ガラス）１０８とを備えている。
【００１１】
このハウジング１０２内には、時計駆動部を構成するムーブメント１１０と、このムーブメント１１０の上面に配置され、ムーブメントを光の起電力によって駆動するためのソーラーセル１１２を備えている。
【００１２】
また、このソーラーセル１１２の上面には、ソーラーセル１１２の発電に寄与する波長の外光を、少なくともムーブメント１１０の駆動に足るだけ透過させる透光機能を有する文字板１１４を備えている。
【００１３】
さらに、このムーブメント１１０の側部下方には、標準電波を受信するためのアンテナ１１６が付設されている。
なお、図示しないが、ムーブメント１１０より突出して、ソーラーセル１１２と文字板１１４とを貫通する針軸に、分針と時針とが配置される。これら分針と時針とは、文字板１１４と風防１０８との間に位置して時刻を表示するようになっている。
【００１４】
さらに、時計ケース１０４は、外方に突出する２組のバンド取り付け部１１８を備えており、これらのバンド取り付け部１１８にはそれぞれ、互いに対向するように、一定間隔離間して配置され、時計ケース１０４より延設された脚部１２０を備えている。
【００１５】
そして、これらの脚部１２０のそれぞれの間に、図示しない腕時計のバンドそれぞれが連結されるようになっている。
ところで、このような金属製外装が採用された電波時計１００においては、アンテナ１１６が電波を受信する際に、金属製の時計ケース１０４において、その環状壁の周方向に沿った渦電流が誘導電流として流れることになる。
【００１６】
この渦電流が、ハウジング１０２の外部からの電波を相殺してしまい、アンテナ１１６の受信感度が極めて低下してしまうことになる。
このような現象を回避するために、この特許文献１の電波時計１００においては、時計ケース１０４の環状壁には、時計ケース１０４を周方向に分断するスリット１２２を備えている。
【００１７】
すなわち、図３１に示したように、時計ケース１０４は、スリット１２２によって、上下方向に沿って完全に分断され、結果として、このスリット１２２によって、時計ケース１０４は、略Ｃ型の枠体の形状となっている。
【００１８】
なお、図３１においては、このスリット１２２を明確にするために省略して、図示はされていないが、このスリット１２２には、非導電性の合成樹脂から成る絶縁部材が埋め込まれた状態となっている。
【００１９】
すなわち、この絶縁部材によって、時計ケース１０４の防水性と強度が維持されるように構成されている。
従って、このスリット１２２を備える電波時計１００では、アンテナ１１６が電波を受信する際に、時計ケース１０４の環状壁の周方向に沿った渦電流が流れないので、導電性である金属製の時計ケース１０４を採用した場合にも、アンテナ１１６の受信が確保されるようになっている。
【特許文献１】特開２００２−３４１０５７号公報
【発明の開示】
【発明が解決しようとする課題】
【００２０】
しかしながら、特許文献１の電波時計１００では、時計ケース１０４の一部に、スリット１２２を形成して、このスリット１２２に合成樹脂からなる絶縁部材を埋め込んだ状態であるので、美観が良好ではなく、高級感に欠けることになり、また、全てを金属で構成した時計ケースに比較して、絶縁部材の部分で強度がどうしても弱くなり、防水性、耐衝撃性、耐磨耗性、耐薬品性にも劣ることになる。
【００２１】
また、特許文献１の電波時計１００では、時計ケース１０４の一部に、スリット１２２を形成して、アンテナ１１６による受信感度を向上するようにしているが、受信時に電波時計１００がおかれている場所によっては、または、その周囲の環境によっては、さらには時計の姿勢などによっても、しばしばアンテナが受信できないことがあった。
【００２２】
従って、特許文献１のようにスリット１２２を備える電波時計１００にあっても、そのアンテナ１１６の受信感度は、いまだ十分な受信感度を得ているとは言い難いものである。
【００２３】
本発明は、このような現状に鑑み、美観が良好で、高級感を有し、強度的にも優れ、内部に収容したアンテナが確実に電波を受信することが可能な無線機能付き時計を提供することを目的とする。
【課題を解決するための手段】
【００２４】
本発明は、前述したような従来技術における課題及び目的を達成するために発明されたものであって、本発明の無線機能付き時計は、
無線機能付き時計であって、
ハウジングと、
前記ハウジング内に収容され、外部からの電波を受信するためのアンテナと、
前記ハウジング内に配置された導電性の環状部材と、
前記環状部材に形成され、環状部材を周方向に分断する少なくとも１つのスリットと、を備えることを特徴とする。
【００２５】
このように構成することによって、時計ケース内に収容した導電性の環状部材に、環状部材を周方向に分断するスリットが形成されているので、このスリットによって、環状部材に沿って渦電流が流れるのが分断され、渦電流の発生が阻止されることになる。
【００２６】
これにより、環状部材に流れる渦電流に起因するアンテナの受信感度の低下が阻止されることになり、アンテナの受信感度が向上することになる。
また、環状部材は、外部から密閉されたハウジング内に配置されるため、環状部材にスリットが形成された場合にも、ハウジング自体の防水性は低下しない。
【００２７】
本発明における時計ケースを含むハウジングは、金属のような導電性であっても、合成樹脂のような非導電性であってもかまわない。または、ハウジングを構成する部品に、導電性の部品と、非導電性の部品が混在してもかまわない。ハウジングは、少なくとも一部が導電性、または少なくとも一部が非導電性の部材と理解される。導電性、非導電性に係わらず、ハウジング内に配置された導電性の環状部材にスリットが設けられれば、環状部材の渦電流に起因するアンテナの受信感度の低下が回避される。
【００２８】
また、本発明におけるハウジングを構成する部品、例えば、時計ケースにスリットが形
成されてもかまわない。または、時計ケースのスリットを排除して、環状部材だけにスリットが形成されてもかまわない。
【００２９】
なお、本発明において、導電性の部材とは、「その部材の素材自体が導電性の部材であるもの」、または、「その部材に導電性の被膜が被覆されたもの」を言う。後者の場合、部材の素材自体は、非導電性の素材であっても、導電性の素材であっても、または、非導電性の素材と導電性の素材の組み合わせであってもよい。
【００３０】
逆に、非導電性の部材とは、「その部材の素材自体が非電性の部材であるもの」、または、「その部材に非電性の被膜が被覆されたもの」を言う。後者の場合、部材の素材自体は、非導電性の素材であっても、導電性の素材であっても、または、非導電性の素材と導電性の素材の組み合わせであってもよい。
【００３１】
環状部材を構成する導電性の材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００３２】
また、本発明の無線機能付き時計は、前記スリットが、アンテナの上方近傍に配置されていることを特徴とする。
このようにスリットを、アンテナの上方近傍に配置することによって、アンテナ上方には、電波の受信を妨げる導電性の環状部材が存在しないので、アンテナの受信感度が向上することになる。
【００３３】
また、本発明の無線機能付き時計は、前記スリットが、アンテナの開放両端部に対向して、アンテナの上方近傍に配置された２つのスリットから構成されていることを特徴とする。
【００３４】
このように構成することによって、アンテナの開放両端部に対向する部分には、２つのスリットによって、電波の受信を妨げる導電性の環状部材が存在しないので、これらのスリットを介して、電波がアンテナの開放端部に受信され、アンテナの受信感度が向上することになる。
【００３５】
また、本発明の無線機能付き時計は、前記スリットが、アンテナの少なくとも一方の開放端部に対向して、アンテナの上方近傍に配置されたスリットから構成されていることを特徴とする。
【００３６】
このように構成することによって、アンテナの少なくとも一方の開放両端部に対向する部分には、スリットによって、電波の受信を妨げる導電性の環状部材が存在しないので、このスリットを介して、電波がアンテナの一方の開放端部に受信され、アンテナの受信感度が向上することになる。
【００３７】
また、本発明の無線機能付き時計は、前記環状部材のスリット内に配置された絶縁部材を備えることを特徴とする。
このように構成することによって、時計ケース内に収容した導電性の環状部材に、環状部材を周方向に分断するスリットが形成され、このスリット内に絶縁部材が配置されているので、この絶縁部材によって、環状部材に沿って渦電流が流れるのが分断され、渦電流の発生が阻止されることになる。
【００３８】
これにより、環状部材に流れる渦電流に起因するアンテナの受信感度の低下が阻止されることになり、アンテナの受信感度が向上することになる。
さらに、絶縁部材は、外部から密閉されたハウジング内に配置されるため、絶縁部材が配置された場合にも、ハウジング自体の耐衝撃性、耐磨耗性、耐薬品性は低下しない。
【００３９】
また、このようにスリット内に絶縁部材が配置されているので、環状部材の強度が維持されることにもなる。
絶縁部材は、非導電性の素材から成る部材であっても、導電性の素材に非導電性の被膜が被覆された部材であってもよい。非導電性の素材としては、例えば、合成樹脂、ゴム、またはセラミックなどが採用される。導電性の素材としては、上述した環状部材の素材が採用される。
【００４０】
導電性材料の上に被覆される非導電性被膜、すなわち絶縁被膜としては、例えば、アクリル系材料、ウレタン系材料、またはセルロース系材料などの有機材料の絶縁被膜が採用される。また、この絶縁被膜として、例えば、クロム化合物を含むクロム化合物系被膜、または酸化アルミ化合物を含む酸化アルミ系被膜が採用される。
【００４１】
クロム化合物系被膜としては、酸化クロム化合物を含む酸化クロム系被膜、窒化クロム化合物を含む窒化クロム系被膜、炭化クロム化合物を含む炭化クロム系被膜、またはが採用される。
【００４２】
また、絶縁被膜としては、ＤＬＣ（Diamond Like Carbon（ダイヤモンドの様なカーボ
ン））などのように、後述する環状部材と時計ケースとの間、時計ケースとベゼルとの間、またはベゼルと環状部材との間に配置される絶縁領域としてのる絶縁被膜が採用されても良い。
【００４３】
また、絶縁被膜の代わりに、合成樹脂やゴムなどから成る絶縁シートが貼着されてもかまわない。
絶縁部材は、不用意に抜脱しないように環状部材に固定されることが好ましい。この固定手段としては、例えば、嵌合、圧入、接合、インサート成型など、機械的な係合手段が採用される。絶縁部材と環状部材とを接合する接合層としては、例えば、接着剤、粘着剤、または両面テープなどが用いられる。これら接合層は、非導電性の絶縁層であることが好ましい。
【００４４】
また、本発明の無線機能付き時計は、前記絶縁部材が、非導電性の合成樹脂であることを特徴とする。
このように絶縁部材を、非導電性の合成樹脂から構成することによって、環状部材をスリットの部分で確実に絶縁することができ、スリットの大きさや形状に合わせた絶縁部材を、例えば、一体成形などで容易に製造することができる。
【００４５】
また、本発明の無線機能付き時計は、前記絶縁部材の視認面の色調が、環状部材の視認面の色調と同色色調であることを特徴とする。
このように、絶縁部材の視認面の色調を、環状部材の視認面と同色色調となるように構成することによって、絶縁部材が視認されにくくなり、環状部材の美観、時計自体の美観が向上することになる。
【００４６】
ここで、「視認面」とは、外面のうち、観察者に視認される領域を言う。
また、ここで、「同色色調」とは、環状部材と絶縁部材との色調とが、共に同じ色調と認識され得る範囲内にあることを意味し、その色調の濃淡や明暗など、色調の外観上の風合いが完全に一致することに限定されない。例えば、濃い金色、薄い金色、明るい金色、または暗い金色は、ここではすべて金色の同色色調とされる。
【００４７】
例えば、環状部材が明るい金色色調であり、絶縁部材が暗い金色色調であろうとも、環状部材と絶縁部材の視認面が金色の同色色調を呈すれば、絶縁部材が視認されにくくなり、環状部材の美観、時計自体の美観が向上する。
【００４８】
また、環状部材が見返しリングである場合に、見返しリングと絶縁部材の視認面の色調とは、見返しリングと絶縁部材の素材そのものの色調であっても、見返しリングと絶縁部材に被覆された被膜の色調であってもよい。このような被膜としては、例えば、塗装被膜、印刷被膜、または乾式めっき被膜などが挙げられる。
【００４９】
なお、環状部材と絶縁部材における、視認面以外の外面が同色色調であってもよく、例えば、環状部材と絶縁部材における外面すべてが同色色調であってもよい。
また、本発明の無線機能付き時計は、前記絶縁部材の視認面の色調が、環状部材の視認面の色調である金属外観と同色色調である金属外観を呈することを特徴とする。
【００５０】
このように、特に、絶縁部材が、導電性素材より成る環状部材と同じような金属外観を呈すれば、絶縁部材が視認されにくくなるばかりか、環状部材に高級観が与えられる。
導電性素材より成る環状部材と同じような金属外観を得るために、例えば、絶縁部材は、環状部材と同色色調のメタリック塗装による塗装被膜に被覆されてもよい。このメタリック塗装被膜として、例えば、メタリック顔料が混入された塗装被膜が採用される。
【００５１】
例えば、ステンレス色を得るためには、鉄、クロム、ニッケル、モリブデンなどを成分とするステンレス顔料が含有された塗装被膜が被覆される。
また、例えば、金色を得るためには、銅、亜鉛、鉄などを成分とするブロンズ顔料が含有された塗装被膜が被覆される。
【００５２】
または、例えば、銀色を得るためには、アルミニウムを成分とするアルミニウム顔料、またはニッケルを成分とするニッケル顔料が含有された塗装被膜が被覆される。
これら以外にも、パール顔料や、グラファイト顔料、フタロシャニンフレークなど、様々な顔料が採用されても良い。
【００５３】
なお、絶縁部材が塗装される工程は以下の通りである。
先ず、絶縁部材の外表面上に下地塗装被膜が被覆される。次いで、この下地塗装被膜の上にメタリック塗装被膜が被覆される。さらに、このメタリック塗装被膜の上に、透明、または半透明な合成樹脂層であるクリアコートが被覆される。このクリアコートにより、メタリック塗装被膜に金属が含有された場合にも、塗装された絶縁部材の最外表面は、非導電性を維持する。
【００５４】
メタリック塗装被膜に限らず、このような塗装被膜の単層、または積層の非導電性を確保するためには、クリアコートのような、絶縁性の上塗り塗装被膜が最外層として採用されることが好ましい。
【００５５】
このような絶縁塗装被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが採用される。
【００５６】
また、本発明の無線機能付き時計は、前記絶縁部材の視認面の色調が、環状部材の視認
面の色調と異色色調であることを特徴とする。
このように、絶縁部材の視認面の色調を、環状部材の視認面の色調と異色色調となるように構成することによって、例えば、この絶縁部材の部分を、美観上、または、何らかの情報を、例えば、時計の携帯者などの観察者に視認し易くすることができる。
【００５７】
ここで、絶縁部材と環状部材とが異色色調であるとは、上記の同色色調と認められない色調の組み合わせを言う。
また、本発明の無線機能付き時計は、前記絶縁部材が、時計の機能表示を示す指標であることを特徴とする。
【００５８】
このように、絶縁部材を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【００５９】
特に、環状部材の視認面の色調と異色色調の絶縁部材を指標にした場合には、このような時計の機能表示を観察者により視認し易くすることができる。
環状部材が金属色調を呈するのであれば、例えば、絶縁部材は、赤、オレンジ、黄色などの目立つ色調を呈することができる。絶縁部材の視認面の色調とは、絶縁部材の素材そのものの色調であっても、絶縁部材に被覆された被膜の色調であってもよい。この被膜としては、例えば、塗装被膜、印刷被膜、または乾式めっき被膜などが挙げられる。
【００６０】
また、本発明の無線機能付き時計は、
前記絶縁部材が、導電性の付加部材を保持し、
前記付加部材が、外方から視認され得るように、かつ環状部材と接触しないように絶縁部材に保持されていることを特徴とする。
【００６１】
このように構成することによって、絶縁部材に保持された導電性の付加部材により、絶縁部材に金属外観が付与されることになるので、環状部材の美観と高級観が向上し、時計自体の美観も向上することになる。
【００６２】
また、付加部材が、環状部材と接触しないように絶縁部材に保持されているので、環状部材に渦電流が発生せず、アンテナの受信感度が向上する。
また、本発明の無線機能付き時計は、前記付加部材の視認面の色調が、環状部材の視認面の色調と同色色調であることを特徴とする。
【００６３】
このように、付加部材の視認面の色調を、環状部材の視認面の色調と同色色調となるように構成することによって、付加部材が視認されにくくなり、環状部材の美観、時計自体の美観が向上することになる。
【００６４】
また、本発明の無線機能付き時計は、前記付加部材の視認面の色調が、環状部材の視認面の色調と異色色調であることを特徴とする。
このように、付加部材の視認面の色調を、環状部材の視認面の色調と異色色調となるように構成することによって、例えば、この付加部材の部分を、美観上、または、何らかの情報を、例えば、時計の携帯者などの観察者に視認し易くすることができる。
【００６５】
また、本発明の無線機能付き時計は、前記付加部材が、時計の機能表示を示す指標であることを特徴とする。
このように、付加部材を、例えば、時刻表示、日付表示、曜日表示、月表示、年表示、電池の残量表示、圧力や温度などの外環境測定値の表示、アンテナの受信感度表示、アン
テナにおける受信の成否の表示などの時計の機能表示を示す指標とすることによって、時計の機能表示を、例えば、時計の携帯者などの観察者に示すことができる。
【００６６】
特に、環状部材の視認面の色調と異色色調の付加部材を指標にした場合には、このような時計の機能表示を観察者により視認し易くすることができる。
また、本発明の無線機能付き時計は、前記環状部材と絶縁部材と付加部材の視認面が、略同一平面を形成していることを特徴とする。
【００６７】
このように構成することによって、環状部材と絶縁部材と付加部材とが一体的に視認されるので、環状部材の美観と高級観が向上し、時計自体の美観も向上することになる。
特に、後述するように、環状部材が見返しリングである場合、見返しリングの上面は風防を載置するために載置面として機能するので、見返しリングと絶縁部材と付加部材のそれぞれ上面が略同一平面を形成していれば、見返しリングに平滑な載置面が形成されるので、風防を確実に載置することができる。
【００６８】
また、環状部材が見返しリングである場合、見返しリングの上面から文字板に向けて下方に延びる傾斜面は、時計の機能表示を示す指標を配置する指標面として機能する。
従って、見返しリングと絶縁部材と付加部材のそれぞれ傾斜面が略同一平面を形成していれば、見返しリングに平滑な指標面が形成されるので、指標を読み取りやすくなる。さらに、指標面に指標を印刷して形成する場合、平滑な指標面に極めて容易に指標を印刷することができる。
【００６９】
また、本発明の無線機能付き時計は、前記付加部材が、環状部材と絶縁部材との境界の少なくとも一部を覆う覆い部を備えることを特徴とする。
このように構成することによって、環状部材と絶縁部材との境界が、付加部材の覆い部で隠されて視認されなくなるので、環状部材の美観と高級観がさらに向上する。
【００７０】
また、本発明の無線機能付き時計は、前記付加部材の覆い部と環状部材との間に、絶縁部材より延出する延出部が形成されていることを特徴とする。
このように構成することによって、環状部材と絶縁部材との境界を越えて延びた、導電性の付加部材の覆い部が、絶縁部材の延出部に妨げられて、導電性の環状部材に接触しないことになる。
【００７１】
その結果、導電性である付加部材と環状部材とが確実に絶縁されるので、環状部材に渦電流が生じるのが回避され、アンテナの受信感度が向上することになる。
また、本発明の無線機能付き時計は、前記付加部材が、絶縁部材に形成された凹部内に配置されていることを特徴とする。
【００７２】
このように構成することによって、付加部材が絶縁部材に形成された凹部内に確実に固定することができる。
また、付加部材と絶縁部材の視認面とが略同一平面を形成するように、絶縁部材の凹部内に付加部材を配置することができ、環状部材と絶縁部材と付加部材とが一体的に視認されるので、環状部材の美観と高級観が向上し、時計自体の美観も向上することになる。
【００７３】
また、本発明の無線機能付き時計は、前記スリット内に一定間隔離間して配置された２つの絶縁部材の間に、付加部材が配置されていることを特徴とする。
このように構成することによって、付加部材が２つの絶縁部材の間に確実に固定することができる。
【００７４】
また、付加部材と絶縁部材の視認面とが略同一平面を形成するように、２つの絶縁部材
の間に付加部材を配置することができ、環状部材と絶縁部材と付加部材とが一体的に視認されるので、環状部材の美観と高級観が向上し、時計自体の美観も向上することになる。
【００７５】
また、本発明の無線機能付き時計は、前記絶縁部材と付加部材のいずれか一方に突設された係合凸部と、他方に形成された係合孔部とを備え、
前記係合凸部と係合孔部との係合によって、付加部材が絶縁部材に取り付けられていることを特徴とする。
【００７６】
このように構成することによって、係合凸部と係合孔部との係合によって、付加部材を絶縁部材にさらに確実に固定することができる。
また、本発明の無線機能付き時計は、前記絶縁部材が、文字板上面に延出する指標部を備えることを特徴とする。
【００７７】
このように構成することによって、絶縁部材を、時計の機能表示を示す指標として用いられる場合、文字板上面に延出する指標部が、時計の機能表示を明確に指示することになり、時計の携帯者などの観察者が、時計の機能表示を視認しやすくなる。
【００７８】
また、本発明の無線機能付き時計は、前記付加部材が、文字板上面に延出する指標部を備えることを特徴とする。
このように構成することによって、付加部材を、時計の機能表示を示す指標として用いられる場合、文字板上面に延出する指標部が、時計の機能表示を明確に指示することになり、時計の携帯者などの観察者が、時計の機能表示を視認しやすくなる。
【００７９】
また、本発明の無線機能付き時計は、前記絶縁部材が、装飾部材を備えることを特徴とする。
このように構成することによって、絶縁部材に、例えば、宝石や貴石などの輝石からなる装飾部材を備えることによって、環状部材の美観と高級観が向上し、時計自体の美観も向上することになる。
【００８０】
また、本発明の無線機能付き時計は、
前記ハウジングの少なくとも一部を構成する時計ケースを備え、
前記時計ケースが少なくとも一部が導電性であり、
前記環状部材と時計ケースとの間に、絶縁領域を備えることを特徴とする。
【００８１】
このように環状部材と時計ケースとの間に、絶縁領域を備えることによって、導電性の環状部材と時計ケースとの間で、誘導電流が発生しないので、これらの環状部材と時計ケースとの間に流れる渦電流に起因するアンテナの受信感度の低下が阻止されることになり、アンテナの受信感度が向上することになる。
【００８２】
なお、この絶縁領域は、少なくとも時計ケースの導電性部分と環状部材との間に配置される。
また、このように、環状部材と時計ケースとの間に、絶縁領域を備えることによって、上記のように環状部材に形成したスリット、または、このスリットにスリット内に配置された絶縁部材のアンテナ受信感度の向上性との相乗効果によって、さらにアンテナの受信感度が向上することになる。
【００８３】
このような絶縁領域を構成する絶縁部材としては、特に限定されるものではないが、例えば、合成樹脂、ゴム、または、セラミックなどの非導電性の絶縁部材を採用することができる。
【００８４】
また、導電性の素材に、非導電性の被膜が被覆された部材とすることも可能である。この場合、絶縁部材を構成する導電性材料としては、見返しリング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。
【００８５】
そして、この絶縁部材を構成する導電性材料に被覆される非導電性の被膜としては、すなわち絶縁被膜としては、例えば、非導電性の塗装被膜、非導電性の印刷被膜、非導電性の乾式メッキ被膜が挙げられる。
【００８６】
また、このような絶縁被膜としては、例えば、
・ＤＬＣ（Diamond Like Carbon（ダイヤモンドの様なカーボン））などのＣＶＤ被膜、
・アクリル系材料、ウレタン系材料、または、セルロース系材料などの有機材料の絶縁被膜、
・クロム化合物を含むクロム化合物系被膜、または、酸化アルミ化合物を含む酸化アルミ系被膜、
などを採用することができる。
【００８７】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。
【００８８】
また、このような絶縁被膜の代わりに、合成樹脂やゴムなどから成る絶縁シートが絶縁部材を構成する導電性材料に貼着された絶縁部材であってもかまわない。
さらに、前述の絶縁部材に採用された絶縁被膜が用いられても良い。
【００８９】
また、本発明の無線機能付き時計は、前記絶縁領域が、アンテナの上方近傍に配置されていることを特徴とする。
このように絶縁領域を、アンテナの上方近傍に配置することによって、アンテナ上方では、環状部材と時計ケースとの間に配置された絶縁領域によって、導電性の環状部材と時計ケースとの間で、誘導電流が発生しないので、アンテナの受信感度が向上することになる。
【００９０】
また、本発明の無線機能付き時計は、前記絶縁領域が、アンテナの開放両端部に対向して、アンテナの上方近傍に配置された２つの絶縁領域から構成されていることを特徴とする。
【００９１】
このように構成することによって、アンテナの開放両端部に対向する部分では、２つの絶縁領域によって、導電性の環状部材と時計ケースとの間で、誘導電流が発生しないので、電波がアンテナの開放端部に受信され、アンテナの受信感度が向上することになる。
【００９２】
また、本発明の無線機能付き時計は、前記絶縁領域が、アンテナの少なくとも一方の開放端部に対向して、アンテナの上方近傍に配置された絶縁領域から構成されていることを特徴とする。
【００９３】
このように構成することによって、アンテナの少なくとも一方の開放両端部に対向する部分では、環状部材と時計ケースとの間に配置された絶縁領域によって、導電性の環状部材と時計ケースとの間で、誘導電流が発生しないので、電波がアンテナの一方の開放端部に受信され、アンテナの受信感度が向上することになる。
【００９４】
また、本発明の無線機能付き時計は、前記絶縁領域が、環状部材と時計ケースとの間に配置された絶縁部材から構成されていることを特徴とする。
このように環状部材と時計ケースとの間に、絶縁部材を備えることによって、導電性の環状部材と時計ケースとの間で、誘導電流が発生しないので、これらの環状部材と時計ケースとの間に流れる渦電流に起因するアンテナの受信感度の低下が阻止されることになり、アンテナの受信感度が向上することになる。
【００９５】
また、本発明の無線機能付き時計は、前記絶縁部材が、環状部材側に貼着されていることを特徴とする。
このように構成することによって、例えば、シート状の絶縁部材を環状部材側に貼着するだけで良いので、環状部材を時計ケースに組み込み易くなり、作業能率が向上し、製造コストを低減することができる。
【００９６】
また、本発明の無線機能付き時計は、前記絶縁部材が、時計ケース側に貼着されていることを特徴とする。
このように構成することによって、例えば、シート状の絶縁部材を時計ケース側に貼着するだけで良いので、環状部材を時計ケースに組み込み易くなり、作業能率が向上し、製造コストを低減することができる。
【００９７】
また、本発明の無線機能付き時計は、前記絶縁領域が、環状部材と時計ケースとの間の境界面の少なくともいずれか一方に形成された絶縁被膜から構成されていることを特徴とする。
【００９８】
このように構成することによって、例えば、絶縁材料を塗装することによって、環状部材と時計ケースとの間の境界面の少なくともいずれか一方に、絶縁被膜からなる絶縁領域を形成することができ、作業能率が向上し、製造コストを低減することができる。
【００９９】
また、本発明の無線機能付き時計は、前記環状部材の絶縁被膜が、環状部材の全面に形成されていることを特徴とする。
このように構成することによって、例えば、環状部材を絶縁材料液に浸漬することによって、絶縁被膜を形成することができ、作業能率が向上し、製造コストを低減することができる。
【０１００】
また、本発明の無線機能付き時計は、
前記ハウジングの少なくとも一部を構成する時計ケースを備え、
前記時計ケースが少なくとも一部が導電性であり、
前記時計ケースには、少なくとも一部が導電性のベゼルが備えられ、
前記ベゼルと時計ケースとの間に、絶縁領域を備えることを特徴とする。
【０１０１】
このようにベゼルと時計ケースとの間に、絶縁領域を備えることによって、導電性のベゼルと時計ケースとの間で、誘導電流が発生しないので、これらのベゼルと時計ケースとの間に流れる渦電流に起因するアンテナの受信感度の低下が阻止されることになり、アンテナの受信感度が向上することになる。
【０１０２】
なお、この絶縁領域は、少なくとも時計ケースの導電性部分とベゼルの導電性部分との間に配置される。
また、このように、ベゼルと時計ケースとの間に、絶縁領域を備えることによって、上記のように環状部材に形成したスリット、または、このスリットにスリット内に配置された絶縁部材のアンテナ受信感度の向上性との相乗効果によって、さらにアンテナの受信感度が向上することになる。
【０１０３】
なお、この絶縁領域を構成する絶縁部材としては、上記の環状部材と時計ケースとの間の絶縁領域と同様な絶縁部材を用いることができる。
また、本発明の無線機能付き時計は、
前記ハウジングの少なくとも一部を構成する時計ケースを備え、
前記時計ケースには、少なくとも一部が導電性のベゼルが備えられ、
前記ベゼルと環状部材との間に、絶縁領域を備えることを特徴とする。
【０１０４】
このようにベゼルと環状部材との間に、絶縁領域を備えることによって、導電性のベゼルと環状部材との間で、誘導電流が発生しないので、これらのベゼルと環状部材との間に流れる渦電流に起因するアンテナの受信感度の低下が阻止されることになり、アンテナの受信感度が向上することになる。
【０１０５】
なお、この絶縁領域は、少なくともベゼルの導電性部分と環状部材との間に配置される。
また、このように、ベゼルと環状部材との間に、絶縁領域を備えることによって、上記のように環状部材に形成したスリット、または、このスリットにスリット内に配置された絶縁部材のアンテナ受信感度の向上性との相乗効果によって、さらにアンテナの受信感度が向上することになる。
【０１０６】
なお、この絶縁領域を構成する絶縁部材としては、上記の環状部材と時計ケースとの間の絶縁領域と同様な絶縁部材を用いることができる。
また、本発明の無線機能付き時計は、前記絶縁領域が、アンテナの上方近傍に配置されていることを特徴とする。
【０１０７】
このように絶縁領域を、アンテナの上方近傍に配置することによって、アンテナ上方では、ベゼルと環状部材との間に配置された絶縁領域によって、導電性のベゼルと環状部材との間で、誘導電流が発生しないので、アンテナの受信感度が向上することになる。
【０１０８】
また、本発明の無線機能付き時計は、前記絶縁領域が、アンテナの開放両端部に対向して、アンテナの上方近傍に配置された２つの絶縁領域から構成されていることを特徴とする。
【０１０９】
このように構成することによって、アンテナの開放両端部に対向する部分では、２つの絶縁領域によって、導電性のベゼルと環状部材との間で、誘導電流が発生しないので、電波がアンテナの開放端部に受信され、アンテナの受信感度が向上することになる。
【０１１０】
また、本発明の無線機能付き時計は、前記絶縁領域が、アンテナの少なくとも一方の開放端部に対向して、アンテナの上方近傍に配置された絶縁領域から構成されていることを特徴とする。
【０１１１】
このように構成することによって、アンテナの少なくとも一方の開放両端部に対向する部分では、ベゼルと環状部材との間に配置された絶縁領域によって、導電性のベゼルと環状部材との間で、誘導電流が発生しないので、電波がアンテナの一方の開放端部に受信され、アンテナの受信感度が向上することになる。
【０１１２】
また、本発明の無線機能付き時計は、前記絶縁領域が、ベゼルと環状部材との間に配置された絶縁部材から構成されていることを特徴とする。
このようにベゼルと環状部材との間に、絶縁部材を備えることによって、導電性のベゼルと環状部材との間で、誘導電流が発生しないので、これらのベゼルと環状部材との間に
流れる渦電流に起因するアンテナの受信感度の低下が阻止されることになり、アンテナの受信感度が向上することになる。
【０１１３】
また、本発明の無線機能付き時計は、前記絶縁部材が、ベゼル側に貼着されていることを特徴とする。
このように構成することによって、例えば、シート状の絶縁部材をベゼル側に貼着するだけで良いので、ベゼルと環状部材を時計ケースに組み込み易くなり、作業能率が向上し、製造コストを低減することができる。
【０１１４】
また、本発明の無線機能付き時計は、前記絶縁部材が、環状部材側に貼着されていることを特徴とする。
このように構成することによって、例えば、シート状の絶縁部材を環状部材側に貼着するだけで良いので、ベゼルと環状部材を時計ケースに組み込み易くなり、作業能率が向上し、製造コストを低減することができる。
【０１１５】
また、本発明の無線機能付き時計は、前記絶縁領域が、ベゼルと環状部材との間の境界面の少なくともいずれか一方に形成された絶縁被膜から構成されていることを特徴とする。
【０１１６】
このように構成することによって、例えば、絶縁材料を塗装することによって、ベゼルと環状部材との間の境界面の少なくともいずれか一方に、絶縁被膜からなる絶縁領域を形成することができ、作業能率が向上し、製造コストを低減することができる。
【０１１７】
また、本発明の無線機能付き時計は、前記環状部材の絶縁被膜が、環状部材の全面に形成されていることを特徴とする。
このように構成することによって、例えば、環状部材を絶縁材料液に浸漬することによって、絶縁被膜を形成することができ、作業能率が向上し、製造コストを低減することができる。
【０１１８】
また、本発明の無線機能付き時計は、前記導電性の環状部材が、見返しリングであることを特徴とする。
見返しリングは、文字板上方に配置される環状枠体であり、文字板下方に配置されるアンテナとの上下方向に沿った距離も短い。従って、導電性の見返しリングに周方向に沿った渦電流が生じれば、アンテナの受信感度の低下も大きい。
【０１１９】
逆に、このような見返しリングにスリットが形成されて渦電流が阻止されれば、アンテナの受信感度が大きく改善される。
【発明の効果】
【０１２０】
本発明によれば、時計ケース内に収容した、例えば、見返しリングなどの導電性の環状部材に、環状部材を周方向に分断するスリットが形成されているので、このスリットによって、環状部材に沿って渦電流が流れるのが分断され、渦電流の発生が阻止されることになる。
【０１２１】
これにより、環状部材に流れる渦電流に起因するアンテナの受信感度の低下が阻止されることになり、アンテナの受信感度が向上することになる。
また、本発明によれば、時計ケース内に収容した導電性の環状部材に、環状部材を周方向に分断するスリットが形成され、このスリット内に絶縁部材が配置されているので、この絶縁部材によって、環状部材に沿って渦電流が流れるのが分断され、渦電流の発生が阻止されることになる。
【０１２２】
これにより、環状部材に流れる渦電流に起因するアンテナの受信感度の低下が阻止されることになり、アンテナの受信感度が向上することになる。
また、このようにスリット内に絶縁部材が配置されているので、環状部材の強度が維持されることにもなる。
【発明を実施するための最良の形態】
【０１２３】
以下、本発明の実施の形態（実施例）を図面に基づいてより詳細に説明する。
（実施例１）
図１は、本発明の無線機能付き時計の実施例の分解斜視図、図２は、図１の無線機能付き時計の組み立てた状態のＡ−Ａ線方向の部分拡大断面図、図３は、図１の無線機能付き時計の組み立てた状態の一部を切り欠いた状態の部分拡大斜視図、図４は、図２の無線機能付き時計の部分拡大断面図である。
【０１２４】
なお、図３の部分拡大斜視図では、説明の便宜上、ムーブメント２０、ソーラーセル２２などの構成部品を省略して図示している。以下の図面においても同様である。
図１〜図３において、符号１０は、全体で本発明の無線機能付き時計を示している。
【０１２５】
なお、本発明で言う「無線機能付き時計」とは、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【０１２６】
図１〜図４に示したように、本発明の無線機能付き時計１０は、ハウジング１２を備えている。
このハウジング１２は、金属製の略円筒形状の枠体を構成する時計ケース１４と、時計ケース１４の下面開口部を覆うように密封状態で装着される金属製の裏蓋１６と、この時計ケースの上面開口部を覆うように、密封状態で装着される風防（ガラス）１８とを備えている。
【０１２７】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【０１２８】
このハウジング１２内には、時計駆動部を構成するムーブメント２０と、このムーブメント２０の上面に配置され、ムーブメント２０を光の起電力によって駆動するためのソーラーセル２２を備えている。
【０１２９】
また、このソーラーセル２２の上面には、ソーラーセルの発電に寄与する波長の外光を、少なくともムーブメント２０の駆動に足るだけ透過させる透光機能を有する文字板２４を備えている。
【０１３０】
さらに、このムーブメント２０の側部下方の小径部２０ａには、標準電波を受信するためのアンテナ２６が付設されている。
なお、この実施例では、アンテナ２６は、コアとなる棒状の磁芯部材と、この磁芯部材の外周に巻かれたコイルとより成るバーアンテナとして図示しているが、その他の構成のアンテナ部材から構成することも勿論可能である。
【０１３１】
なお、文字板２４は、ソーラーセルの発電に寄与する波長の外光を透過する透光機能を
有するものであれば特に限定されるものではないが、例えば、合成樹脂、セラミック、ガラス、木材、または、貝などの非導電性材料で構成することによって、外部からの電波がさらにアンテナ２６に到達しやすくなるため、アンテナの受信感度を向上することができる。
【０１３２】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【０１３３】
そして、これらの脚部３０のそれぞれの間に、図示しない腕時計のバンドそれぞれが連結されるようになっている。
なお、ムーブメント２０より突出して、ソーラーセル２２と文字板２４とを貫通する針軸３１には、図示しないが、分針と時針とが配置される。これら分針と時針とは、文字板２４と風防１８との間に位置して時刻を表示するようになっている。
【０１３４】
また、時計ケース１４の内周側には、フランジ形状の見返し受け部３２が、環状に突設されており、この見返し受け部３２によって形成される段部３４上に、導電性の環状部材を構成する見返しリング３６が装着されている。
【０１３５】
この見返しリング３６は、図４に示したように、見返し受け部３２上に配置される見返しリング本体部３８と、見返しリング本体部３８から、文字板２４上に延設され、文字板２４上に載置される延設部４０を備えている。また、見返しリング３６の内面側は、下方に向かって径が小さくなるテーパー面４２が形成され、このテーパー面４２上に、時字などの指標４４が形成されている。
【０１３６】
また、この見返しリング３６の上端と、時計ケース１４の上端内周側には、風防１８を密封状態で固定するための固定（防水）パッキン４６が介装されている。
一方、裏蓋１６には、内側に突設する中子部材４８が形成されており、この中子部材４８の外周側には、離間して形成された複数の係合突設部５０が突設されている。そして、時計ケース１４の下端近傍の内周側には、この裏蓋１６の中子部材４８の係合突設部５０が嵌合する係合用凹部５２が形成されている。
【０１３７】
また、ムーブメント２０の側部上方の大径部２０ｂと、中子部材４８の上端部との間には、支持枠５４が介装されている。
このように構成することによって、裏蓋１６の中子部材４８の係合突設部５０を、時計ケース１４の下端近傍の内周側の係合用凹部５２に係合することによって、時計ケース１４の内周側に形成されたフランジ形状の見返し受け部３２と、裏蓋１６の中子部材４８の上端部との間で、支持枠５４を介して、ムーブメント２０、ソーラーセル２２、文字板２４が、時計ケース１４の内部に固定され、収容されるようになっている。
【０１３８】
支持枠５４は、合成樹脂などの非導電性材料から成る。ハウジングの一部を構成する時計ケース１４がステンレスのような導電性材料からなる場合は、支持枠５４は、導電性のケース１４とアンテナ２６との平面方向に沿った隙間を確保し、アンテナ２６の受信性能を高く維持する。
【０１３９】
なお、図２において、符号５１は、裏蓋１６と時計ケース１４との間を、密封状態で封止するための防水パッキンである。
なお、環状部材である見返しリング３６を構成する導電性の材料としては、例えば、金、銀、銅、黄銅、アルミニウム、マグネシウム、亜鉛、チタン、または、これらの合金などを採用することができる。また、例えば、チタン合金、ステンレススチール、タンタル
カーバイドなどを採用することもできる。
【０１４０】
ところで、このような無線機能付き時計１０においては、アンテナ２６が電波を受信する際に、導電性の見返しリング３６において、その環状壁の周方向に沿った渦電流が誘導電流として流れることになる。
【０１４１】
この渦電流が、ハウジング１２の外部からの電波を相殺してしまい、アンテナ２６の受信感度が極めて低下してしまうことになる。
このような現象を回避するために、本発明の無線機能付き時計１０においては、見返しリング３６の環状壁には、見返しリング３６を周方向に分断するスリット５６が形成されている。
【０１４２】
このように構成することによって、時計ケース内１４に収容した導電性の環状部材である見返しリング３６を周方向に分断するスリット５６が形成されているので、このスリット５６によって、環状の見返しリング３６に沿って渦電流が流れるのが分断され、渦電流の発生が阻止されることになる。
【０１４３】
これにより、見返しリング３６に流れる渦電流に起因するアンテナ２６の受信感度の低下が阻止されることになり、アンテナ２６の受信感度が向上することになる。
この場合、見返しリング３６に形成されるスリット５６の数、形成位置としては、特に限定されるものではないが、下記のように形成するのが、それぞれの理由から好ましいものである。
【０１４４】
すなわち、図５に示した実施例では、スリット５６が、アンテナ２６の上方近傍に配置されている。
このようにスリット５６を、アンテナ２６の上方近傍に配置することによって、アンテナ２６の上方には、電波の受信を妨げる導電性の環状部材である見返しリング３６が存在しないので、アンテナの受信感度が向上することになる。
【０１４５】
また、図６に示した実施例では、スリット５６が、アンテナ２６の開放両端部２６ａ、２６ｂに対向して、アンテナ２６の上方近傍に配置された２つのスリット５６ａ、５６ｂから構成されている。
【０１４６】
このように構成することによって、アンテナ２６の開放両端部２６ａ、２６ｂに対向する部分には、２つのスリット５６ａ、５６ｂによって、電波の受信を妨げる導電性の環状部材である見返しリング３６が存在しないので、これらのスリット５６ａ、５６ｂを介して、電波がアンテナ２６の開放両端部２６ａ、２６ｂに受信され、アンテナの受信感度が向上することになる。
【０１４７】
また、図７に示した実施例では、スリット５６が、アンテナ２６の少なくとも一方の開放端部２６ａに対向して（図６では説明の便宜上２６ａに対向して設けた場合を示している）、アンテナ２６の上方近傍に配置されたスリット５６ａから構成されている。
【０１４８】
このように構成することによって、アンテナ２６の少なくとも一方の開放端部２６ａに対向する部分には、スリット５６ａによって、電波の受信を妨げる導電性の環状部材である見返しリング３６が存在しないので、このスリット５６ａを介して、電波がアンテナ２６の一方の開放端部２６ａに受信され、アンテナ２６の受信感度が向上することになる。
【０１４９】
また、図１〜図４に示した実施例の無線機能付き時計１０においては、図４の断面図に示したように、環状部材である見返しリング３６と時計ケース１４との間に、絶縁領域５
８が形成されている。
【０１５０】
このように見返しリング３６と時計ケース１４との間に、絶縁領域５８を備えることによって、導電性の見返しリング３６と時計ケース１４との間で、誘導電流が発生しないので、これらの見返しリング３６と時計ケース１４との間に流れる渦電流に起因するアンテナ２６の受信感度の低下が阻止されることになり、アンテナ２６の受信感度が向上することになる。
【０１５１】
この場合、図４の断面図に示した実施例では、絶縁領域５８は、見返しリング３６と時計ケース１４との間で、見返し受け部３２の段部３４の上面３４ａと、側面３４ｂに沿って形成している。
【０１５２】
しかしながら、図８に示したように、少なくとも、見返し受け部３２の段部３４の上面３４ａに沿って、形成してあれば良く、例えば、図９に示したように、見返しリング３６と時計ケース１４との間の全面、すなわち、見返し受け部３２の段部３４の上面３４ａと、側面３４ｂと、内周面３４ｃに沿って形成することもできる。
【０１５３】
この場合、絶縁領域５８の数、形成位置としては、特に限定されるものではないが、図示しないが、下記のように形成するのが、それぞれの理由から好ましいものである。
すなわち、図５に示した実施例と同様に、絶縁領域５８が、アンテナ２６の上方近傍に配置されている。
【０１５４】
このように絶縁領域５８を、アンテナ２６の上方近傍に配置することによって、アンテナ２６の上方では、見返しリング３６と時計ケース１４との間に配置された絶縁領域５８によって、導電性の見返しリング３６と時計ケース１４との間で、誘導電流が発生しないので、アンテナ２６の受信感度が向上することになる。
【０１５５】
また、図６に示した実施例と同様に、絶縁領域５８が、アンテナ２６の開放両端部２６ａ、２６ｂに対向して、アンテナ２６の上方近傍に配置された２つの絶縁領域５８ａ、５８ｂから構成されている。
【０１５６】
このように構成することによって、アンテナ２６の開放両端部２６ａ、２６ｂに対向する部分では、２つの絶縁領域５８ａ、５８ｂによって、導電性の見返しリング３６と時計ケース１４との間で、誘導電流が発生しないので、電波がアンテナ２６の開放両端部２６ａ、２６ｂに受信され、アンテナ２６の受信感度が向上することになる。
【０１５７】
また、図７に示した実施例と同様に、絶縁領域５８が、アンテナ２６の少なくとも一方の開放端部２６ａに対向して、アンテナ２６の上方近傍に配置された絶縁領域５８ａから構成されている。
【０１５８】
このように構成することによって、アンテナ２６の少なくとも一方の開放端部２６ａに対向する部分では、見返しリング３６と時計ケース１４との間に配置された絶縁領域５８によって、導電性の見返しリング３６と時計ケース１４との間との間で、誘導電流が発生しないので、電波がアンテナ２６の一方の開放端部２６ａに受信され、アンテナ２６の受信感度が向上することになる。
【０１５９】
この場合、絶縁領域５８が、見返しリング３６と時計ケース１４との間に配置された絶縁部材から構成することができる。
このような絶縁領域５８を構成する絶縁部材としては、特に限定されるものではないが、例えば、合成樹脂、ゴム、または、セラミックなどの非導電性の絶縁部材を採用するこ
とができる。
【０１６０】
また、導電性の素材に、非導電性の被膜が被覆された部材とすることも可能である。この場合、絶縁部材を構成する導電性材料としては、見返しリング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。
【０１６１】
そして、この絶縁部材を構成する導電性材料に被覆される非導電性の被膜としては、すなわち絶縁被膜としては、例えば、非導電性の塗装被膜、非導電性の印刷被膜、非導電性の乾式メッキ被膜が挙げられる。
【０１６２】
また、このような絶縁被膜としては、例えば、
・ＤＬＣ（Diamond Like Carbon（ダイヤモンドの様なカーボン））などのＣＶＤ被膜、
・アクリル系材料、ウレタン系材料、または、セルロース系材料などの有機材料の絶縁被膜、
・クロム化合物を含むクロム化合物系被膜、または、酸化アルミ化合物を含む酸化アルミ系被膜、
などを採用することができる。
【０１６３】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。
【０１６４】
また、このような絶縁被膜の代わりに、合成樹脂やゴムなどから成る絶縁シートが絶縁部材を構成する導電性材料に貼着された絶縁部材であってもかまわない。
また、この場合、絶縁部材を、環状部材側である見返しリング３６側に貼着することもできる。
【０１６５】
このように構成することによって、例えば、シート状の絶縁部材を見返しリング３６側に貼着するだけで良いので、見返しリング３６側を時計ケース１４に組み込み易くなり、作業能率が向上し、製造コストを低減することができる。
【０１６６】
また、絶縁部材を、時計ケース１４側に貼着することもできる。
このように構成することによって、例えば、シート状の絶縁部材を時計ケース１４側に貼着するだけで良いので、見返しリング３６を時計ケース１４に組み込み易くなり、作業能率が向上し、製造コストを低減することができる。
【０１６７】
また、絶縁領域５８を、見返しリング３６を時計ケース１４との間の境界面の少なくともいずれか一方に形成された絶縁被膜から構成することもできる。
このように構成することによって、例えば、絶縁材料を塗装、蒸着などによって形成することによって、見返しリング３６を時計ケース１４との間の境界面の少なくともいずれか一方に、絶縁被膜からなる絶縁領域を形成することができ、作業能率が向上し、製造コストを低減することができる。
【０１６８】
また、この場合、見返しリング３６に絶縁被膜を形成する場合には、図９に示したように、見返しリング３６の全面に形成することができる。
このように構成することによって、例えば、見返しリング３６を絶縁材料液に浸漬することによって、絶縁被膜を形成することができ、作業能率が向上し、製造コストを低減することができる。
（実施例２）
図１０は、本発明の別の実施例の無線機能付き時計１０の図４と同様な部分拡大斜視図である。
【０１６９】
この実施例の無線機能付き時計１０は、図１〜図３に示した無線機能付き時計１０と基本的には同様な構成であり、同一の構成部材には、同一の参照番号を付して、その詳細な説明を省略する。
【０１７０】
この実施例の無線機能付き時計１０では、時計ケース１４には、その上端内側に、ベゼル収容凹部６０が形成されており、このベゼル収容凹部６０内に、ベゼル６２が収容されている。
【０１７１】
そして、このベゼル６２には、その内周側には、フランジ形状の見返し受け部６４が、環状に突設されており、この見返し受け部６４によって形成される段部６６上に、導電性の環状部材を構成する見返しリング３６が装着されている。
【０１７２】
また、ベゼル６２には、その内周側下端に、時計ケース１４のベゼル収容凹部６０内に嵌合する嵌合部６８が形成されている。
なお、図１０中、符号６１は、ベゼル６２と時計ケース１４との間を、密封状態で封止するための防水パッキンである。
【０１７３】
そして、ベゼル６２と時計ケース１４との間、すなわち、ベゼル６２の嵌合部６８と時計ケース１４のベゼル収容凹部６０との間に、絶縁領域７０が形成されている。
このようにベゼル６２と時計ケース１４との間に、絶縁領域７０を備えることによって、導電性のベゼル６２と時計ケース１４との間で、誘導電流が発生しないので、これらのベゼル６２と時計ケース１４との間に流れる渦電流に起因するアンテナ２６の受信感度の低下が阻止されることになり、アンテナ２６の受信感度が向上することになる。
【０１７４】
この場合、ベゼル６２と時計ケース１４との間に形成される絶縁領域７０としては、前述した図１〜図３の実施例の見返しリング３６と時計ケース１４との間に形成される絶縁領域５８と同様な材料、方法で形成することができるものであって、
・絶縁領域７０を、ベゼル６２と時計ケース１４との間に配置された絶縁部材から構成する方法
・絶縁部材を、ベゼル６２の側に貼着する方法、
・絶縁部材を、時計ケース１４の側に貼着する方法、
・絶縁領域７０を、ベゼル６２と時計ケース１４との間の境界面の少なくともいずれか一方に形成された絶縁被膜から構成する方法、
・図９の実施例と同様に、図１１に示したように、ベゼル６２の絶縁被膜を、ベゼル６２の全面に形成する方法
などを採用することができ、その詳細な説明は省略する。
【０１７５】
また、この絶縁領域７０の数、形成位置としても、図示しないが、図１〜図３の実施例の絶縁領域５８と同様に、
・図５に示した実施例と同様に、絶縁領域７０を、アンテナ２６の上方近傍に配置する方法、
・図６に示した実施例と同様に、絶縁領域７０を、アンテナ２６の開放両端部２６ａ、２６ｂに対向して、アンテナ２６の上方近傍に配置された２つの絶縁領域７０から構成する方法、
・図７に示した実施例と同様に、絶縁領域７０を、アンテナ２６の少なくとも一方の開放端部２６ａに対向して、アンテナ２６の上方近傍に配置された絶縁領域７０から構成する
方法、
などを採用することができる。
【０１７６】
さらに、この実施例の無線機能付き時計１０では、ベゼル６２と環状部材である見返しリング３６との間に、絶縁領域７２を備えている。
このようにベゼル６２と見返しリング３６との間に、絶縁領域７２を備えることによって、導電性のベゼル６２と見返しリング３６との間で、誘導電流が発生しないので、これらのベゼル６２と見返しリング３６との間に流れる渦電流に起因するアンテナ２６の受信感度の低下が阻止されることになり、アンテナ２６の受信感度が向上することになる。
【０１７７】
この場合も、ベゼル６２と見返しリング３６との間に形成される絶縁領域７２としては、前述した図１〜図３の実施例の見返しリング３６と時計ケース１４との間に形成される絶縁領域５８と同様な材料、方法で形成することができるものであって、
・絶縁領域７０を、ベゼル６２と見返しリング３６との間に配置された絶縁部材から構成する方法
・絶縁部材を、ベゼル６２の側に貼着する方法、
・絶縁部材を、見返しリング３６の側に貼着する方法、
・絶縁領域７２を、ベゼル６２と見返しリング３６との間の境界面の少なくともいずれか一方に形成された絶縁被膜から構成する方法、
・図９の実施例と同様に、図１２に示したように、見返しリング３６の絶縁被膜を、見返しリング３６の全面に形成する方法、
などを採用することができ、その詳細な説明は省略する。
【０１７８】
また、この絶縁領域７２の数、形成位置としても、図示しないが、図１〜図３の実施例の絶縁領域５８と同様に、
・図５に示した実施例と同様に、絶縁領域７２を、アンテナ２６の上方近傍に配置する方法、
・図６に示した実施例と同様に、絶縁領域７２を、アンテナ２６の開放両端部２６ａ、２６ｂに対向して、アンテナ２６の上方近傍に配置された２つの絶縁領域７２から構成する方法、
・図７に示した実施例と同様に、絶縁領域７２を、アンテナ２６の少なくとも一方の開放端部２６ａに対向して、アンテナ２６の上方近傍に配置された絶縁領域７２から構成する方法、
などを採用することができる。
【０１７９】
なお、図１０〜図１１の実施例では、ベゼル６２の内周側に、フランジ形状の見返し受け部６４が、環状に突設されており、この見返し受け部６４によって形成される段部６６上に、導電性の環状部材を構成する見返しリング３６を装着したが、図示しないが、ベゼル６２に見返し受け部６４を突出させずに、時計ケース１４の内周側に見返し受け部６４を形成することも可能である。
【０１８０】
この場合にも、見返しリング３６と、時計ケース１４の見返し受け部６４との間に、絶縁領域を設けることも可能である。
（実施例３）
図１３は、本発明の別の実施例の無線機能付き時計１０の図３と同様な部分拡大斜視図で、スリット５６内に絶縁部材７４を装着する状態を説明する部分拡大斜視図である。
【０１８１】
この実施例の無線機能付き時計１０は、図１〜図３に示した無線機能付き時計１０と基本的には同様な構成であり、同一の構成部材には、同一の参照番号を付して、その詳細な説明を省略する。
【０１８２】
この実施例の無線機能付き時計１０では、環状部材である見返しリング３６のスリット５６内に配置された絶縁部材７４を備えている。
すなわち、図１３に示したように、絶縁部材７４は、その断面が、見返しリング３６の断面と略同一形状となっており、スリット５６内に装着することができるようになっている。
【０１８３】
このように構成することによって、時計ケース１４内に収容した導電性の見返しリング３６に、見返しリング３６を周方向に分断するスリット５６が形成され、このスリット５６内に絶縁部材７４が配置されているので、この絶縁部材７４によって、見返しリング３６に沿って渦電流が流れるのが分断され、渦電流の発生が阻止されることになる。
【０１８４】
これにより、環状部材に流れる渦電流に起因するアンテナ２６の受信感度の低下が阻止されることになり、アンテナ２６の受信感度が向上することになる。
また、このようにスリット５６内に絶縁部材７４が配置されているので、見返しリング３６の強度が維持されることにもなる。
【０１８５】
また、絶縁部材７４の断面が、見返しリング３６の断面と略同一形状となっているので、絶縁部材７４の視認面が、見返しリング３６の視認面と略同一平面を形成していることになる。
【０１８６】
従って、絶縁部材７４の視認面が、見返しリング３６とが一体的に視認されるので、環見返しリング３６の美観と高級観が向上し、時計自体の美観も向上することになる。
特に、見返しリング３６の上面３６ａは風防１８を載置するために載置面として機能するので、見返しリング３６と絶縁部材７４のそれぞれ上面３６ａ、７４ａが略同一平面を形成していれば、見返しリング３６に平滑な載置面が形成されるので、風防１８を確実に載置することができる。
【０１８７】
また、見返しリング３６の上面３６ａから文字板２４に向けて下方に延びる傾斜面３６ｂは、時計の機能表示を示す指標を配置する指標面として機能する。
従って、見返しリング３６と絶縁部材７４のそれぞれ傾斜面３６ｂ、７４ｂが略同一平面を形成していれば、見返しリング３６に平滑な指標面が形成されるので、指標を読み取りやすくなる。さらに、指標面に指標を印刷して形成する場合、平滑な指標面に極めて容易に指標を印刷することができる。
【０１８８】
この場合、絶縁部材７４を構成する絶縁材料としては、特に限定されるものではないが、例えば、合成樹脂、ゴム、または、セラミックなどの非導電性の絶縁材料を採用することができる。
【０１８９】
また、導電性の素材に、非導電性の被膜が被覆された部材とすることも可能である。この場合、絶縁部材７４を構成する導電性材料としては、見返しリング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。
【０１９０】
そして、この絶縁部材を構成する導電性材料に被覆される非導電性の被膜としては、すなわち絶縁被膜としては、例えば、非導電性の塗装被膜、非導電性の印刷被膜、非導電性の乾式メッキ被膜が挙げられる。
【０１９１】
また、このような絶縁被膜としては、例えば、
・ＤＬＣ（Diamond Like Carbon（ダイヤモンドの様なカーボン））などのＣＶＤ被膜、
・アクリル系材料、ウレタン系材料、または、セルロース系材料などの有機材料の絶縁被膜、
・クロム化合物を含むクロム化合物系被膜、または、酸化アルミ化合物を含む酸化アルミ系被膜、
などを採用することができる。
【０１９２】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。
【０１９３】
また、このような絶縁被膜の代わりに、合成樹脂やゴムなどから成る絶縁シートが絶縁部材を構成する導電性材料に貼着された絶縁部材であってもかまわない。
この場合、絶縁部材７４が、非導電性の合成樹脂であれば、見返しリング３６をスリット５６の部分で確実に絶縁することができ、スリット５６の大きさや形状に合わせた絶縁部材７４を、例えば、一体成形などで容易に製造することができる。
【０１９４】
また、絶縁部材７４は、不用意に見返しリング３６のスリット５６から脱落しないように、見返しリング３６に固定されることが好ましい。この固定手段としては、例えば、嵌合、圧入、接合、インサート成型など、機械的な係合手段を採用することができる。
【０１９５】
また、絶縁部材７４の視認面の色調が、見返しリング３６の視認面の色調と同色色調とすることもできる。
このように、絶縁部材７４の視認面の色調を、見返しリング３６の視認面の色調と同色色調となるように構成することによって、絶縁部材７４が視認されにくくなり、環状部材の美観、時計自体の美観が向上することになる。なお、「視認面」とは、外面のうち、観察者に視認される領域を言う。
【０１９６】
また、絶縁部材７４の視認面の色調が、見返しリング３６の視認面の色調と異色色調とすることもできる。
このように、絶縁部材７４の視認面の色調を、見返しリング３６の視認面の色調と異色色調となるように構成することによって、例えば、この絶縁部材７４の部分を、美観上、または、何らかの情報を、例えば、時計の携帯者などの観察者に視認し易くすることができる。
【０１９７】
この場合、『同色色調』とは、「同色色調」とは、環状部材と絶縁部材との色調とが、共に同じ色調と認識され得る範囲内にあることを意味し、その色調の濃淡や明暗など、色調の外観上の風合いが完全に一致することに限定されない。
【０１９８】
なお、見返しリング３６と絶縁部材７４の視認面の色調とは、見返しリング３６と絶縁部材７４の素材そのものの色調であっても、見返しリング３６と絶縁部材７４に被覆された被膜の色調であってもよい。
【０１９９】
従って、『異色色調』とは、このような見返しリング３６と絶縁部材７４の視認面の色調が、上記の同色色調と認められない色調の組み合わせを言う。
さらに、絶縁部材７４を、時計の機能表示を示す指標とすることもできる。
【０２００】
このように、絶縁部材７４を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって
、時計の機能表示を、例えば、時計の携帯者などの観察者に示すことができる。
【０２０１】
特に、見返しリング３６の視認面の色調と異色色調の絶縁部材７４を指標にした場合には、このような時計の機能表示を観察者により視認し易くすることができる。
この場合、絶縁部材７４の数、形成位置としては、図１〜図３の実施例の絶縁領域５８と同様に、
・図１５、図１６に示した実施例のように、絶縁部材７４を、アンテナ２６の上方近傍に配置する方法、
・図１７に示した実施例のように、絶縁部材７４を、アンテナ２６の開放両端部２６ａ、２６ｂに対向して、アンテナ２６の上方近傍に配置された２つの絶縁領域７２から構成する方法、
・図１８に示した実施例のように、絶縁部材７４を、アンテナ２６の少なくとも一方の開放端部２６ａに対向して、アンテナ２６の上方近傍に配置された絶縁部材７４から構成する方法、
などを採用することができる。なお、図１５〜図１８では、時計ケース１４の形状が矩形枠状であり、これに対応して、見返しリング３６も矩形枠形状のものを実施例として示しているが、前述の実施例のように、時計ケース１４、見返しリング３６を円形状とすることももちろん可能である。
（実施例４）
図１４は、本発明の別の実施例の無線機能付き時計１０の図３と同様な部分拡大斜視図で、２つのスリット５６の間に導電性のパーツ部材７５を介装した状態を説明する部分拡大斜視図である。
【０２０２】
この実施例の無線機能付き時計１０は、図１〜図３に示した無線機能付き時計１０と基本的には同様な構成であり、同一の構成部材には、同一の参照番号を付して、その詳細な説明を省略する。
【０２０３】
この実施例の無線機能付き時計１０では、見返しリング３６に形成された２つの離間したスリット５６、５６が形成されており、このスリット５６、５６を画成するように、導電性のパーツ部材７５が介装されている。
【０２０４】
そして、このパーツ部材７５を挟んだ状態で、絶縁部材７６、７６が、２つのスリット５６、５６に装着されている。
なお、この絶縁部材７６、７６としては、上記の実施例３と同様な絶縁部材から構成することができる。また、この絶縁部材７６、７６としては、パーツ部材７５と見返しリング３６とを接合するための非導電性の接合層とすることができる。
【０２０５】
このような非導電性の接合層としては、例えば、非導電性の粘着層や非導電性の接着層を採用することができる。例えば、合成樹脂などの非導電性材料を含む粘着層や接着層を採用することができる。この場合、非導電性の粘着層としては、例えば、両面テープを採用することができる。
【０２０６】
この場合、導電性のパーツ部材７５の形状としては、２つのスリット５６、５６で分断されて、見返しリング３６から切り離されたような形状とするのが好ましい。すなわち、見返しリング３６に２つの絶縁部材７６、７６を介して、パーツ部材７５を組み合わせた際に、見返しリング３６と、２つの絶縁部材７６、７６と、パーツ部材７５が、一体の環状の見返しリング３６として視認されるため、環見返しリング３６の美観と高級観が向上し、時計自体の美観も向上することになるからである。
【０２０７】
この場合、導電性のパーツ部材７５としては、を構成する材料としては、特に限定され
るものではなく、見返しリング３６と同様な材料などを用いることができる。
この場合、２つの絶縁部材７６、７６と、パーツ部材７５の視認面の色調が、見返しリング３６の視認面の色調と同色色調とすることができる。
【０２０８】
このように、２つの絶縁部材７６、７６と、パーツ部材７５の視認面の色調が、見返しリング３６の視認面の色調と同色色調となるように構成することによって、２つの絶縁部材７６、７６と、パーツ部材７５が視認されにくくなり、見返しリング３６の美観、時計自体の美観が向上することになる。
【０２０９】
また、２つの絶縁部材７６、７６と、パーツ部材７５の視認面の色調が、見返しリング３６の視認面の色調と異色色調とすることもできる。
このように、２つの絶縁部材７６、７６と、パーツ部材７５の視認面の色調が、見返しリング３６の視認面の色調と異色色調となるように構成することによって、例えば、この２つの絶縁部材７６、７６と、パーツ部材７５の部分を、美観上、または、何らかの情報を、例えば、時計の携帯者などの観察者に視認し易くすることができる。
【０２１０】
また、２つの絶縁部材７６、７６と、パーツ部材７５を、時計の機能表示を示す指標とすることもできる。
すなわち、２つの絶縁部材７６、７６と、パーツ部材７５を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【０２１１】
この場合、２つの絶縁部材７６、７６と、パーツ部材７５自体を、時計の機能表示を示す指標として用いられてもよい。
また、２つの絶縁部材７６、７６と、パーツ部材７５の視認面に、このような指標が形成されてもよい。また、２つの絶縁部材７６、７６と、パーツ部材７５は、ブランド名、メーカー名、商品名などを表すマークやエンブレムなどの商品表示部材であってもよい。
【０２１２】
なお、２つの絶縁部材７６、７６と、パーツ部材７５の色調などを、上記のような組み合わせを適宜選択して用いることができることは勿論である。
なお、この実施例では、２つのスリット５６、５６に、２つの絶縁部材７６、７６を装着したが、上記の実施例１と同様に、２つの絶縁部材７６、７６を装着せずに、２つのスリット５６、５６の状態のままとすることも可能である。
（実施例５）
図１９は、本発明の別の実施例の無線機能付き時計１０の図３と同様な部分拡大斜視図で、スリット５６内に絶縁部材７８、付加部材８０を装着する状態を説明する部分拡大斜視図、図２０は、図１９の無線機能付き時計１０において、スリット５６内に絶縁部材７８、付加部材８０を装着した状態を説明する部分拡大断面図である。
【０２１３】
この実施例の無線機能付き時計１０は、図１〜図３に示した無線機能付き時計１０と基本的には同様な構成であり、同一の構成部材には、同一の参照番号を付して、その詳細な説明を省略する。
【０２１４】
この実施例の無線機能付き時計１０では、絶縁部材７８が、導電性の付加部材８０を保持しており、この付加部材８０が、外方から視認され得るように、かつ環状部材である見返しリング３６と接触しないように絶縁部材７８に保持されている。
【０２１５】
具体的には、付加部材８０が、絶縁部材７８に形成された凹部７８ｃ内に配置され、付
加部材８０が絶縁部材７８に形成された凹部７８ｃ内に確実に固定することができるようになっている。
【０２１６】
なお、付加部材８０は、不用意に絶縁部材７８の凹部７８ｃから脱落しないように絶縁部材７８に固定されることが好ましい。この固定手段としては、例えば、嵌合、圧入、接合、インサート成型など、機械的な係合手段が採用される。絶縁部材７８と付加部材８０とを接合する接合層には、例えば、接着剤、粘着材、または両面テープなどが用いられる。
【０２１７】
このように構成することによって、絶縁部材７８に保持された導電性の付加部材８０により、絶縁部材７８に金属外観が付与されることになるので、見返しリング３６の美観と高級観が向上し、時計自体の美観も向上することになる。
【０２１８】
また、付加部材８０が、見返しリング３６と接触しないように絶縁部材７８に保持されているので、見返しリング３６に渦電流が発生せず、アンテナ２６の受信感度が向上する。
【０２１９】
この場合、付加部材８０の視認面の色調が、見返しリング３６の視認面の色調と同色色調とすることができる。
このように、付加部材８０の視認面の色調が、見返しリング３６の視認面の色調と同色色調となるように構成することによって、付加部材８０が視認されにくくなり、見返しリング３６の美観、時計自体の美観が向上することになる。
【０２２０】
また、付加部材８０の視認面の色調が、見返しリング３６の視認面の色調と異色色調とすることもできる。
このように、付加部材８０の視認面の色調が、見返しリング３６の視認面の色調と異色色調となるように構成することによって、例えば、この付加部材８０の部分を、美観上、または、何らかの情報を、例えば、時計の携帯者などの観察者に視認し易くすることができる。
【０２２１】
また、付加部材８０を、時計の機能表示を示す指標とすることもできる。
すなわち、付加部材８０を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【０２２２】
この場合、図２１に示したように、付加部材８０自体を、時計の機能表示を示す指標８２として用いられてもよい。
また、付加部材８０の視認面に、このような指標が形成されてもよい。また、付加部材８０は、ブランド名、メーカー名、商品名などを表すマークやエンブレムなどの商品表示部材であってもよい。
【０２２３】
さらに、図２２、図２３に示したように、付加部材８０は、観る者に美感を起こさせる装飾部材８４であってもよい。
このように構成することによって、絶縁部材７８に、例えば、宝石や貴石などの輝石からなる装飾部材８４を備えることによって、環状部材の美観と高級観が向上し、時計自体の美観も向上することになる。
【０２２４】
また、特に、見返しリング３６の視認面の色調と異色色調の付加部材８０を指標にした場合には、このような時計の機能表示を観察者により視認し易くすることができる。
また、見返しリング３６と絶縁部材７８と付加部材８０の視認面が、略同一平面を形成するようにすることもできる。
【０２２５】
このように構成することによって、見返しリング３６と絶縁部材７８と付加部材８０とが一体的に視認されるので、環状部材の美観と高級観が向上し、時計自体の美観も向上することになる。
【０２２６】
特に、見返しリング３６の上面は風防を載置するために載置面として機能するので、見返しリング３６と絶縁部材７８と付加部材８０のそれぞれ上面３６ａ、７８ａ、８０ａが略同一平面を形成していれば、見返しリング３６に平滑な載置面が形成されるので、風防１８を確実に載置することができる。
【０２２７】
また、見返しリング３６の上面３６ａから文字板２４に向けて下方に延びる傾斜面３６ｂは、時計の機能表示を示す指標を配置する指標面として機能する。
従って、見返しリング３６と絶縁部材７８と付加部材８０のそれぞれ傾斜面３６ｂ、７８ｂ、８０ｂが略同一平面を形成していれば、見返しリング３６に平滑な指標面が形成されるので、指標を読み取りやすくなる。さらに、指標面に指標を印刷して形成する場合、平滑な指標面に極めて容易に指標を印刷することができる。
【０２２８】
特に、付加部材８０と絶縁部材７８の視認面とが略同一平面を形成するように、絶縁部材７８の凹部内７８ｃに付加部材８０を配置することができ、見返しリング３６と絶縁部材７８と付加部材８０とが一体的に視認されるので、見返しリング３６の美観と高級観が向上し、時計自体の美観も向上することになる。
【０２２９】
なお、付加部材８０を構成する材料としては、特に限定されるものではなく、見返しリング３６と同様な材料などを用いることができる。
（実施例６）
図２４は、本発明の別の実施例の無線機能付き時計１０の図３と同様な部分拡大斜視図で、スリット５６内に絶縁部材７８、付加部材８０を装着する状態を説明する部分拡大斜視図、図２５は、図２４の無線機能付き時計１０において、スリット５６内に絶縁部材７８、付加部材８０を装着した状態を説明する部分拡大断面図である。
【０２３０】
この実施例の無線機能付き時計１０は、図１〜図３に示した無線機能付き時計１０と基本的には同様な構成であり、同一の構成部材には、同一の参照番号を付して、その詳細な説明を省略する。
【０２３１】
この実施例の無線機能付き時計１０では、スリット５６内に一定間隔離間して配置された２つの絶縁部材７８、７８の間に、付加部材８０が配置されている。
このように構成することによって、付加部材８０が２つの絶縁部材７８、７８の間に確実に固定することができる。
【０２３２】
また、付加部材８０と絶縁部材７８の視認面とが略同一平面を形成するように、２つの絶縁部材７８、７８の間に付加部材を配置することができ、見返しリング３６と絶縁部材７８と付加部材８０とが一体的に視認されるので、見返しリング３６の美観と高級観が向上し、時計自体の美観も向上することになる。
（実施例７）
図２６は、本発明の別の実施例の無線機能付き時計１０の図３と同様な部分拡大斜視図である。
【０２３３】
この実施例の無線機能付き時計１０は、図１〜図３に示した無線機能付き時計１０と基
本的には同様な構成であり、同一の構成部材には、同一の参照番号を付して、その詳細な説明を省略する。
【０２３４】
この実施例の無線機能付き時計１０では、絶縁部材７８が、文字板２４上面に延出する指標部８８を備えている。
このように構成することによって、絶縁部材７８を、時計の機能表示を示す指標として用いられる場合、文字板２４上面に延出する指標部８８が、時計の機能表示を明確に指示することになり、時計の携帯者などの観察者が、時計の機能表示を視認しやすくなる。
【０２３５】
この場合、図示しないが、図１９、図２０の実施例と同様に、絶縁部材７８が、導電性の付加部材８０を保持しており、この付加部材８０が、付加部材８０が、文字板２４上面に延出して、指標部を構成するようにすることも可能である。
【０２３６】
このように構成することによって、付加部材８０を、時計の機能表示を示す指標として用いられる場合、文字板２４上面に延出する指標部が、時計の機能表示を明確に指示することになり、時計の携帯者などの観察者が、時計の機能表示を視認しやすくなる。
（実施例８）
図２７は、本発明の別の実施例の無線機能付き時計１０の図３と同様な部分拡大斜視図で、スリット５６内に絶縁部材７８、付加部材８０を装着する状態を説明する部分拡大斜視図、図２８は、図２７の無線機能付き時計１０において、スリット５６内に絶縁部材７８、付加部材８０を装着した状態を説明する部分拡大斜視図、図２９は、図２７の無線機能付き時計１０において、スリット５６内に絶縁部材７８、付加部材８０を装着した状態を説明する部分拡大断面図、図３０は、絶縁部材７８に、付加部材８０を装着する方法を説明する斜視図である。
【０２３７】
この実施例の無線機能付き時計１０は、図１〜図３に示した無線機能付き時計１０と基本的には同様な構成であり、同一の構成部材には、同一の参照番号を付して、その詳細な説明を省略する。
【０２３８】
この実施例の無線機能付き時計１０では、図２８、図２９に示したように、付加部材８０が、環状部材である見返しリング３６と絶縁部材７８との境界９０の少なくとも一部を覆う覆い部８０ｃを備えている。
【０２３９】
このように構成することによって、見返しリング３６と絶縁部材７８との境界９０が、付加部材８０の覆い部８０ｃで隠されて視認されなくなるので、見返しリング３６の美観と高級観がさらに向上する。
【０２４０】
また、この場合、図２９、図３０に示したように、付加部材８０を絶縁部材７８に装着するために、この実施例では、付加部材８０の背面に係合凸部８０ｄが形成され、これに対応して、絶縁部材７８に係合孔部７８ｄが形成されており、係合凸部８０ｄと係合孔部７８ｄとの係合によって、付加部材８０が絶縁部材７８に取り付けられるようになっている。
【０２４１】
このように構成することによって、係合凸部８０ｄと係合孔部７８ｄとの係合との係合によって、付加部材を絶縁部材にさらに確実に固定することができる。
なお、この場合、絶縁部材７８と付加部材８０のいずれか一方に突設された係合凸部と、他方に形成された係合孔部とを係合することによって、付加部材８０を絶縁部材７８に取り付ければよく、付加部材に８０に係合孔部を設け、絶縁部材７８に係合凸部を設けることも可能である。
【０２４２】
さらに、この場合、図３０に示したように、付加部材８０の覆い部８０ｃと環状部材との間に、絶縁部材７８より延出する延出部７８ｅを形成するのが望ましい。
このように構成することによって、見返しリング３６と絶縁部材７８との境界９０を越えて延びた、導電性の付加部材８０の覆い部８０ｃが、絶縁部材７８の延出部７８ｅに妨げられて、導電性の見返しリング３６に接触しないことになる。
【０２４３】
その結果、導電性である付加部材８０と見返しリング３６とが確実に絶縁されるので、見返しリング３６に渦電流が生じるのが回避され、アンテナの受信感度が向上することになる。
【０２４４】
なお、この場合、図２７〜図２９の実施例では、絶縁部材７８より延出する延出部７８ｅを、付加部材８０の覆い部８０ｃよりも延出距離を短く設定しているが、図３０に示したように、絶縁部材７８より延出する延出部７８ｅを、付加部材８０の覆い部８０ｃよりも延出距離を略同一とすることによって、導電性の付加部材８０の覆い部８０ｃが、完全に、絶縁部材７８の延出部７８ｅに妨げられて、導電性の見返しリング３６に接触しないことになり、見返しリング３６に渦電流が生じるのが回避され、アンテナの受信感度が向上することになる。
【０２４５】
以上、本発明の好ましい実施の態様を説明してきたが、本発明はこれに限定されることはなく、例えば、上記実施例では、環状部材として、見返しリング３６について説明したが、例えば、アンテナ２６の上方に位置する文字板２４の外周環状部を導電性の金属製とした場合に、環状部材として、文字板２４の外周環状部として、本願発明を適用することができるなど環状部材は、ハウジング内に配置された導電性の環状部材であれば、これにスリットが設けられれば、環状部材の渦電流に起因するアンテナの受信感度の低下が回避されるので、見返しリング３６に限定されるものではなない。
【０２４６】
また、ハウジング１２を構成する時計ケース１４、裏蓋１６を導電性の金属製としたが、導電性の部品と、非導電性の部品が混在してもかまわない。また、ハウジング１２は、少なくとも一部が導電性、または、少なくとも一部が非導電性の部材であってもよい。
【０２４７】
さらに、本発明におけるハウジング１２を構成する部品、例えば、時計ケース１４にスリットが形成されても良く、または、時計ケース１４にスリットを形成せずに、環状部材だけにスリットが形成されてもかまわない。時計ケース１４におけるスリットの有無にかかわらず、本発明によれば、環状部材の渦電流に起因するアンテナの受信感度の低下が回避されるので、アンテナの受信感度が向上する。このように、本発明の目的を逸脱しない範囲で種々の変更が可能である。
【図面の簡単な説明】
【０２４８】
【図１】図１は、本発明の無線機能付き時計の実施例の分解斜視図である。
【図２】図２は、図１の無線機能付き時計の組み立てた状態のＡ−Ａ線方向の部分拡大断面図である。
【図３】図３は、図１の無線機能付き時計の組み立てた状態の一部を切り欠いた状態の部分拡大斜視図である。
【図４】図４は、図２の無線機能付き時計の部分拡大断面図である。
【図５】図５は、本発明の無線機能付き時計のスリット５６の配置を示す実施例の上面図である。
【図６】図６は、本発明の無線機能付き時計のスリット５６の配置を示す実施例の上面図である。
【図７】図７は、本発明の無線機能付き時計のスリット５６の配置を示す実施例の上面図である。
【図８】図８は、本発明の無線機能付き時計の別の実施例を示す図２と同様な部分拡大断面図である。
【図９】図９は、本発明の無線機能付き時計の別の実施例を示す図４と同様な部分拡大断面図である。
【図１０】図１０は、本発明の無線機能付き時計の別の実施例を示す図４と同様な部分拡大断面図である。
【図１１】図１１は、本発明の別の実施例の無線機能付き時計１０の図４と同様な部分拡大斜視図である。
【図１２】図１２は、本発明の無線機能付き時計の別の実施例を示す図２と同様な部分拡大断面図である。
【図１３】図１３は、本発明の別の実施例の無線機能付き時計１０の図３と同様な部分拡大斜視図で、スリット５６内に絶縁部材７４を装着する状態を説明する部分拡大斜視図である。
【図１４】図１４は、本発明の別の実施例の無線機能付き時計１０の図３と同様な部分拡大斜視図で、２つのスリット５６の間に導電性のパーツ部材７５を介装した状態を説明する部分拡大斜視図である。
【図１５】図１５は、本発明の無線機能付き時計の絶縁部材７４の配置を示す実施例の部分拡大斜視図である。
【図１６】図１６は、本発明の無線機能付き時計の絶縁部材７４の配置を示す実施例の上面図である。
【図１７】図１７は、本発明の無線機能付き時計の絶縁部材７４の配置を示す実施例の上面図である。
【図１８】図１８は、本発明の無線機能付き時計の絶縁部材７４の配置を示す実施例の上面図である。
【図１９】図１９は、本発明の別の実施例の無線機能付き時計１０の図３と同様な部分拡大斜視図で、スリット５６内に絶縁部材７８、付加部材８０を装着する状態を説明する部分拡大斜視図である。
【図２０】図２０は、図１９の無線機能付き時計１０において、スリット５６内に絶縁部材７８、付加部材８０を装着した状態を説明する部分拡大断面図である。
【図２１】図２１は、本発明の別の実施例の無線機能付き時計１０の図３と同様な部分拡大斜視図である。
【図２２】図２２は、本発明の別の実施例の無線機能付き時計１０の図３と同様な部分拡大斜視図である。
【図２３】図２３は、本発明の別の実施例の無線機能付き時計１０の図２と同様な部分拡大断面図である。
【図２４】図２４は、本発明の別の実施例の無線機能付き時計１０の図３と同様な部分拡大斜視図で、スリット５６内に絶縁部材７８、付加部材８０を装着する状態を説明する部分拡大斜視図である。
【図２５】図２５は、図２３の無線機能付き時計１０において、スリット５６内に絶縁部材７８、付加部材８０を装着した状態を説明する部分拡大断面図である。
【図２６】図２６は、本発明の別の実施例の無線機能付き時計１０の図３と同様な部分拡大斜視図である。
【図２７】図２７は、本発明の別の実施例の無線機能付き時計１０の図３と同様な部分拡大斜視図で、スリット５６内に絶縁部材７８、付加部材８０を装着する状態を説明する部分拡大斜視図である。
【図２８】図２８は、図２７の無線機能付き時計１０において、スリット５６内に絶縁部材７８、付加部材８０を装着した状態を説明する部分拡大斜視図である。
【図２９】図２９は、図２７の無線機能付き時計１０において、スリット５６内に絶縁部材７８、付加部材８０を装着した状態を説明する部分拡大断面図である。
【図３０】図３０は、絶縁部材７８に、付加部材８０を装着する方法を説明する斜視図である。
【図３１】図３１は、従来の無線機能付き時計の実施例の分解斜視図である。
【符号の説明】
【０２４９】
１０   無線機能付き時計
１２   ハウジング
１４   時計ケース
１６   裏蓋
１８   風防
２０   ムーブメント
２２   ソーラーセル
２０ａ 小径部
２０ｂ 大径部
２４   文字板
２６   アンテナ
２６ａ、２６ｂ       開放端部
２８   バンド取り付け部
３０   脚部
３１   針軸
３２   見返し受け部
３４   段部
３４ａ 上面
３４ｂ 側面
３４ｃ 内周面
３６   リング
３６ａ 上面
３６ｂ 傾斜面
３８   リング本体部
４０   延設部
４２   テーパー面
４４   指標
４６   パッキン
４８   中子部材
５０   係合突設部
５２   係合用凹部
５４   支持枠
５６   スリット
５８   絶縁領域
５８ａ、５８ｂ       絶縁領域
６０   ベゼル収容凹部
６２   ベゼル
６４   見返し受け部
６６   段部
６８   嵌合部
７０   絶縁領域
７２   絶縁領域
７４   絶縁部材
７５   パーツ部材
７６   絶縁部材
７８   絶縁部材
７８ｃ 凹部
７８ｄ 係合孔部
７８ｅ 延出部
８０   付加部材
８０ｄ 係合凸部
８０ｃ 覆い部
８２   指標
８４   装飾部材
８８   指標部
９０   境界
１００ 電波時計
１０２ ハウジング
１０４ 時計ケース
１０６ 裏蓋
１０８ 風防
１１０ ムーブメント
１１２ ソーラーセル
１１４ 文字板
１１６ アンテナ
１１８ バンド取り付け部
１２０ 脚部
１２２ スリット
【図１】
2008045878.tif 000003
【図２】
2008045878.tif 000004
【図３】
2008045878.tif 000005
【図４】
2008045878.tif 000006
【図５】
2008045878.tif 000007
【図６】
2008045878.tif 000008
【図７】
2008045878.tif 000009
【図８】
2008045878.tif 000010
【図９】
2008045878.tif 000011
【図１０】
2008045878.tif 000012
【図１１】
2008045878.tif 000013
【図１２】
2008045878.tif 000014
【図１３】
2008045878.tif 000015
【図１４】
2008045878.tif 000016
【図１５】
2008045878.tif 000017
【図１６】
2008045878.tif 000018
【図１７】
2008045878.tif 000019
【図１８】
2008045878.tif 000020
【図１９】
2008045878.tif 000021
【図２０】
2008045878.tif 000022
【図２１】
2008045878.tif 000023
【図２２】
2008045878.tif 000024
【図２３】
2008045878.tif 000025
【図２４】
2008045878.tif 000026
【図２５】
2008045878.tif 000027
【図２６】
2008045878.tif 000028
【図２７】
2008045878.tif 000029
【図２８】
2008045878.tif 000030
【図２９】
2008045878.tif 000031
【図３０】
2008045878.tif 000032
【図３１】
2008045878.tif 000033